(57)【要約】【課題】材料の少なくて済むシート固定具を提供する。【解決手段】本考案のシート固定具１０は、曲線材からなる押さえ部１２と、押さえ部１２の両端から延出する少なくとも一対の針部１１，１１と、を備え、押さえ部１２は、一対の針部１１，１１に垂直な方向に延出する山形部１２ａを有する。山形部１２ａに把手部を有することが好ましく、押さえ部１２及び一対の針部１１，１１が１本の線材を曲げ加工して形成されていることが好ましい。【選択図】図１８
0003187345.tif 000002
【実用新案登録請求の範囲】
【請求項１】
曲線材からなる押さえ部と、
前記押さえ部の両端から延出する少なくとも一対の針部と、を備え、
前記押さえ部は、前記一対の針部に垂直な方向に延出する山形部を有することを特徴とするシート固定具。
【請求項２】
前記山形部に把手部を有する請求項１に記載のシート固定具。
【請求項３】
前記押さえ部及び前記一対の針部が１本の線材を曲げ加工して形成されている請求項１又は請求項２に記載のシート固定具。
【考案の詳細な説明】
【技術分野】
【０００１】
この考案は、シート状物を地面に固定するためのシート固定具に関する。
【背景技術】
【０００２】
従来、農作物の栽培等に用いられるマルチフィルム等のシート状物を耕作面に固定したり、河岸の浸食を防止するための土木シートを斜面に固定したりするシート固定具は、合成樹脂からなるＴ字形状のもの（例えば、特許文献１参照）や、金属線材をＵ字に折り曲げたもの（例えば、特許文献２参照）が広く用いられている。
【０００３】
これらのシート固定具は、シートを押える頭の部分の面積を稼ぐために、いずれも頭の部分に板状部材を用いるようにしている。
【０００４】
しかし、特許文献１や特許文献２のシート固定具のように、シートを押える頭の部分を面状部材とすることは、材料費が嵩むという問題が有った。
【先行技術文献】
【特許文献】
【０００５】
【特許文献１】特開平６−２４５６５５号公報
【特許文献２】特開２０１３−１５０５８２号公報
【考案の概要】
【考案が解決しようとする課題】
【０００６】
本考案は、上記課題に鑑みてなされたものであり、充分にシートを押える機能を確保しながら材料費が嵩まないシート固定具の提供を目的とする。
【課題を解決するための手段】
【０００７】
上記課題を解決するためになされた本考案のシート固定具は、曲線材からなる押さえ部と、前記押さえ部の両端から延出する少なくとも一対の針部と、を備え、前記押さえ部は、前記一対の針部に垂直な方向に延出する山形部を有することを特徴とする。
【０００８】
本考案に係るシート固定具は、押さえ部が曲線材からなるため、押さえ部に面状部材を使用する場合に比べて材料が少なくて済む。また、押さえ部が針部に垂直な方向に延出する山形部を有するため、曲線材であっても充分にシートを押えることができる。
【０００９】
本考案のシート固定具は、前記山形部に把手部を有することが好ましい。こうすることで、シート固定具を地面から抜き易くすることができる。
【００１０】
本考案のシート固定具は、前記押さえ部及び前記一対の針部が１本の線材を曲げ加工して形成されていることが好ましい。こうすることで、樹脂により成形する場合や、金属板から打ち抜く場合に比べて、成形型や打抜き型が不要になり、かつ材料のロスを低減できるためコストを節約することができる。
【考案の効果】
【００１１】
以上説明したように、本考案によれば、充分にシートを抑える機能を確保しながら材料費の嵩まないシート固定具を提供できる。
【図面の簡単な説明】
【００１２】
【図１】本考案の第１実施形態に係るシート固定具の斜視図である。
【図２】本考案の第１実施形態に係るシート固定具の正面図である。
【図３】本考案の第１実施形態に係るシート固定具の背面図である。
【図４】本考案の第１実施形態に係るシート固定具の右側面図である。
【図５】本考案の第１実施形態に係るシート固定具の左側面図である。
【図６】本考案の第１実施形態に係るシート固定具の平面図である。
【図７】本考案の第１実施形態に係るシート固定具の底面図である。
【図８】本考案の第２実施形態に係るシート固定具の斜視図である。
【図９】本考案の第３実施形態に係るシート固定具の斜視図である。
【図１０】本考案のその他の実施形態に係る山形部が１つのシート固定具の斜視図である。
【図１１】本考案のその他の実施形態に係る山形部が４つで押さえ部が平面視点対称に形成されたシート固定具の斜視図である。
【図１２】本考案のその他の実施形態に係る山形部が５つのシート固定具の斜視図である。
【図１３】本考案のその他の実施形態の山形部が６つ以上のシート固定具の斜視図である。
【図１４】本考案のその他の実施形態に係る針部が３本のシート固定具の斜視図である。
【図１５】本考案のその他の実施形態に係る針部が４本のシート固定具の斜視図である。
【図１６】本考案のその他の実施形態の山形部が半円形状のシート固定具の斜視図である。
【図１７】本考案のその他の実施形態の山形部が１つで把手部を有するシート固定具の斜視図である。
【図１８】本考案の第１実施形態に係るシート固定具の使用例を示す斜視図である。
【考案を実施するための形態】
【００１３】
（第１実施形態）
以下、適宜図面を用いながら本考案の実施形態について詳述する。図１は、本考案の第１実施形態に係るシート固定具１０を示している。シート固定具１０は、鉄やステンレス等の金属製の丸線材を折り曲げ加工して形成され、一対の針部１１，１１と、押さえ部１２とを主に備えている。
尚、本考案のシート固定具は、下記の実施形態に限られるものではない。
【００１４】
一対の針部１１，１１は、１本の線材の両端部を、互いに略平行に、かつ同方向に向くように折り曲げて形成される。針部１１の先端部１１ａは、図５に示すように、斜めに切断されて竹槍状に形成されている。
【００１５】
押さえ部１２は、図２乃至図５に示すように、一対の針部１１，１１に垂直な面内で、一対の針部１１，１１が対向する方向（図６の左右方向）に垂直な方向（図６の上下方向）に、交互に張り出す矩形の山形部１２ａを３個備えている。
【００１６】
次に、シート固定具１０を用いてマルチング用等のシートＳを地面Ｅに固定する方法を説明する。図１８に示すように、地面ＥにシートＳを広げた後、シート固定具１０の針部１１の先端部１１ａをシートＳの端部の表面に押し当てて、一対の針部１１をシートＳに貫通させるとともに、針部１１を略全長が埋まるまで地面Ｅに突き立てる。同様にシートＳの全縁にわたり、適宜の間隔で複数の固定具１０を突き立てると、シートＳを地面Ｅに固定することができる。また、シートＳを取り外す場合は、シート固定具１０の山形部１２ａに指をかけて上方へ引っ張ってシート固定具１０を引抜く。
【００１７】
上述したように、シート固定具１０は、１本の線材を曲げ加工するだけで製作できるため、材料のロスが少なく、製作に金型を必要としない。
【００１８】
（第２実施形態）
次に図８を用いて、本発明の第２実施形態に係るシート固定具２０について説明する。シート固定具２０は、曲線材からなる押さえ部２２と、押さえ部２２の両端から延出する一対の針部１１，１１と、を備えている。
尚、第１実施形態以外の実施形態において、第１実施形態と共通する部材については同一符号を付して説明を省略する。
【００１９】
押さえ部２２は、図８に示すように、一対の針部１１，１１に垂直な面内で、一対の針部１１，１１が対向する方向に垂直な方向に、交互に張り出す３個の矩形の山形部１２ａ，１２ａ，２２ｂを備えている。中央の山形部２２ｂは、その頂部を針部１１が延出する方向（図８の下方向）と逆方向（図８の上方向）に折り返して形成した把手部２２ｃを備えている。このように、把手部２２ｃを備えることで、シート固定具２０は、より地面から引抜き易い。
【００２０】
（第３実施形態）
図９は、本発明の第３実施形態に係るシート固定具３０を示している。シート固定具３０は、曲線材からなる押さえ部３２と、押さえ部３２の両端から延出する一対の針部１１，１１と、を備えている。
【００２１】
押さえ部３２は、図９に示すように、一対の針部１１，１１に垂直な面内で、一対の針部１１，１１が対向する方向に垂直な方向に、交互に張り出す３個の矩形の山形部１２ａ，１２ａ，１２ａを備えている。中央の山形部１２ａの頂部には、半円状の線材を溶接して取付けた把手部３２ｃが設けられている。このように、山形部１２ａの頂部を折り返さずに、別途形成した把手部を溶接することで、把手の取り付けられた山部１２ａの頂部でもシートを押えることができるため、より効率よくシートを押えることができる。
【００２２】
（その他の実施形態）
図１０乃至図１７に本発明に係るシート固定具のその他の実施形態を示す。
本発明のシート固定具は、山形部の個数は、３個に限定されるものではなく、２個以下でも４個以上でもよい。例えば、図１０、図１１、図１２では、それぞれ山形部１２ａが１個、４個、５個の例を示している。図１７は、押さえ部１１２が１個の山形部１１２ｂからなり、山形部１１２ｂの中央に把手部１１２ｃを備える例を示している。
【００２３】
また、押さえ部の形状は平面視で（図１１、図１２では上側から見て）、図１１のように点対称でも、図１２のように線対称でも良い。
【００２４】
図１４、図１５は、針部１１を溶接により追加して、それぞれ針部１１を３本、４本とした形態を示している。針部１１は、５本以上としてもよい。このように、針部を適宜溶接により追加することで、よりしっかりとシート固定具を地面に固定することができる。
【００２５】
押さえ部は、図１から図１５に示したようなコ字形状の山形部１２ａではなく、図１６のようなＵ字形状の山形部１０２ａを有していてもよい。また、針部と押さえ部の間の折り曲げ部のＲは図示の例に限らず、もっと大きなＲにしてもよい。針部の先端は竹槍状に限らず、円錐形状に形成してもよい。
【産業上の利用可能性】
【００２６】
本考案のシート固定具によれば、シートを充分に押さえる機能を有しながら経済的であるため、農園のマルチングシートの押さえや土木シートの固定に好適に採用することができる。
【符号の説明】
【００２７】
１０，２０，３０，４０，５０，６０，７０，８０，９０，１００，１１０  シート固定具
１１，８１，９１  針部
１２，２２，３２，４２，５２，６２，７２，１１２  押さえ部
１２ａ，２２ｂ，１０２ａ，１１２ｂ  山形部
２２ｃ，３２ｃ，１１２ｃ  把手部
【図１】
0003187345.tif 000003
【図２】
0003187345.tif 000004
【図３】
0003187345.tif 000005
【図４】
0003187345.tif 000006
【図５】
0003187345.tif 000007
【図６】
0003187345.tif 000008
【図７】
0003187345.tif 000009
【図８】
0003187345.tif 000010
【図９】
0003187345.tif 000011
【図１０】
0003187345.tif 000012
【図１１】
0003187345.tif 000013
【図１２】
0003187345.tif 000014
【図１３】
0003187345.tif 000015
【図１４】
0003187345.tif 000016
【図１５】
0003187345.tif 000017
【図１６】
0003187345.tif 000018
【図１７】
0003187345.tif 000019
【図１８】
0003187345.tif 000020